(57)【要約】【課題】使用者が満足して使用することができる通風式の加熱端末装置を提供する。【解決手段】熱媒が外部から供給される放熱部Ｋと、その放熱部Ｋを通して流動させて加熱した空気を加熱対象空間に供給する通風手段Ｆとが設けられ、加熱対象空間に供給される供給熱量を求める供給熱量取得手段１００と、供給熱量取得手段１００にて求めた供給熱量に基づいて作動する処理手段２００とが設けられている通風式の加熱端末装置。【選択図】図３
2010223488.tif 000002
【特許請求の範囲】
【請求項１】
熱媒が外部から供給される放熱部と、その放熱部を通して流動させて加熱した空気を加熱対象空間に供給する通風手段とが設けられた通風式の加熱端末装置であって、
前記加熱対象空間に供給される供給熱量を求める供給熱量取得手段と、
前記供給熱量取得手段にて求めた前記供給熱量に基づいて作動する処理手段とが設けられている通風式の加熱端末装置。
【請求項２】
前記処理手段が、前記供給熱量取得手段にて求めた前記供給熱量が設定基準熱量以上であるか否かを判定して、その判定結果に基づいて作動するように構成されている請求項１記載の通風式の加熱端末装置。
【請求項３】
前記処理手段が、前記判定結果を表示手段に表示させるように構成されている請求項２記載の通風式の加熱端末装置。
【請求項４】
前記処理手段が、前記判定結果が前記設定基準熱量以上で無い場合には、前記通風手段の通風量を増加させるように構成されている請求項２記載の通風式の加熱端末装置。
【請求項５】
前記通風手段が、前記加熱対象空間から吸引した空気を前記放熱部にて加熱するように流動させる形態で通風するように構成され、
前記加熱対象空間から吸引される空気の吸引温度を検出する吸引温度検出手段が設けられ、
前記処理手段が、前記吸引温度検出手段にて検出される吸引温度が高いほど前記設定基準熱量を低くするように構成されている請求項２〜４のいずれか１項に記載の通風式の加熱端末装置。
【請求項６】
前記放熱部に供給される熱媒の放熱部通過前の温度及び放熱部通過後の温度を検出する熱媒温度検出手段、及び、前記放熱部に供給される熱媒の通流量を検出する熱媒通流量検出手段が設けられ、
前記供給熱量取得手段が、前記熱媒温度検出手段にて検出される放熱部通過前の温度及び放熱部通過後の温度、並びに、前記熱媒通流量検出手段にて検出される通流量に基づいて、前記供給熱量として、前記放熱部に供給される熱媒の放熱量を演算するように構成されている請求項１〜５のいずれか１項に記載の通風式の加熱端末装置。
【請求項７】
前記通風手段が、前記加熱対象空間から吸引した空気を前記放熱部にて加熱するように流動させる形態で通風するように構成され、
前記通風手段にて前記加熱対象空間に供給される空気の供給温度を検出する供給温度検出手段、前記通風手段にて前記加熱対象空間から吸引される空気の吸引温度を検出する吸引温度検出手段、及び、前記通風手段による空気の通風量を検出する通風量検出手段が設けられ、
前記供給熱量取得手段が、前記供給温度検出手段にて検出される供給温度、前記吸引温度検出手段にて検出される吸引温度、及び、前記通風手段にて検出される通風量に基づいて、前記供給熱量を演算するように構成されている請求項１〜５のいずれか１項に記載の通風式の加熱端末装置。
【請求項８】
前記通風手段が、前記加熱対象空間から吸引口を通して吸引した空気を前記放熱部にて加熱するように流動させかつ加熱後の空気を吹出口から前記加熱対象空間に供給する形態で通風するように構成され、
前記吹出口から前記加熱対象空間に吹き出される空気の吹出方向を変更する吹出方向変更手段が、吹出方向を前記吸引口に向ける状態に変更できるように構成され、
前記吸引口から吸引される空気の吸引温度を検出する吸引温度検出手段、及び、前記通風手段による空気の通風量を検出する通風量検出手段が設けられ、
前記供給熱量取得手段が、前記吹出方向変更手段による吹出方向を前記吸引口に向けた状態において前記吸引温度検出手段にて検出される吹出温度、前記吹出方向変更手段による吹出方向を前記吸引口に向けない状態において前記吸引温度検出手段にて検出される吸引温度、及び、前記通風手段にて検出される通風量に基づいて、前記供給熱量を演算するように構成されている請求項１〜５のいずれか１項に記載の通風式の加熱端末装置。
【請求項９】
前記通風手段が、前記加熱対象空間から吸引した空気を前記放熱部にて加熱するように流動させる形態で通風するように構成され、
前記放熱部に供給される熱媒の放熱部通過前の温度及び放熱部通過後の温度を検出する熱媒温度検出手段、前記通風手段にて前記加熱対象空間から吸引される空気の吸引温度を検出する吸引温度検出手段、及び、前記通風手段による空気の通風量を検出する通風量検出手段が設けられ、
前記熱媒の放熱部通過前の温度、前記熱媒の放熱部通過後の温度、前記吸引温度、及び、前記通風量と、前記放熱部に循環供給される熱媒の通流量との関係を示す通流量関係情報を記憶する記憶手段が設けられ、
前記供給熱量取得手段が、前記熱媒温度検出手段にて検出される放熱部通過前の温度、前記熱媒温度検出手段にて検出される放熱部通過後の温度、前記吸引温度検出手段にて検出される吸引温度、前記通風量検出手段にて検出される通風量、及び、前記記憶手段に記憶された前記通流量関係情報に基づいて、前記放熱部に循環供給される熱媒の通流量を求めて、その求めた熱媒の通流量、並びに、前記温度検出手段にて検出される放熱部通過前の温度及び放熱部通過後の温度に基づいて、前記供給熱量として、前記放熱部に供給される熱媒の放熱量を演算するように構成されている請求項１〜５のいずれか1項に記載の通風式の加熱端末装置。
【請求項１０】
前記熱媒温度検出手段が、前記放熱部に対する熱媒供給路における前記放熱部よりも熱媒流動方向下手側箇所の温度を検出する温度検出部を備えて、前記通風手段を通風作動させない状態において前記温度検出部にて検出される温度を、熱媒の放熱部通過前の温度として検出し、前記通風手段を通風作動させた状態において前記温度検出部にて検出される温度を、熱媒の放熱部通過後の温度として検出するように構成されている請求項６又は９に記載の通風式の加熱端末装置。
【請求項１１】
熱媒を循環供給する熱源機が、請求項１〜１０のいずれか１項に記載の通風式の加熱端末装置における前記放熱部と、他の放熱用端末とに並列状態で熱媒を循環流動させるように構成されている加熱設備。
【発明の詳細な説明】
【技術分野】
【０００１】
本発明は、熱媒が外部から供給される放熱部と、その放熱部を通して流動させて加熱した空気を加熱対象空間に供給する通風手段とが設けられた通風式の加熱端末装置に関する。
【背景技術】
【０００２】
かかる通風式の加熱端末装置は、通風手段にて通風される空気を外部から放熱部に供給される熱媒の熱にて加熱して、加熱対象空間に供給することにより、加熱対象空間を加熱するように構成されたものであり、その代表的な例としては、浴室内の空間を加熱対象空間とする、浴室暖房機を挙げることができる。
ちなみに、このような浴室暖房機は、一般には、換気しながら浴室内の乾燥物を乾燥する乾燥機としての機能を備えることが多く、また、近年では、熱媒が外部から供給される熱交換器にて供給される水を加熱して温水を生成し、その温水をミスト状に噴出するミスト噴出装置を備えて、暖房しながら温水をミスト状に噴出することにより、いわゆるミストサウナを行える機能を備えさせることも多い（例えば、特許文献１参照。）
【先行技術文献】
【特許文献】
【０００３】
【特許文献１】特開２００６−０７１１４３号公報
【発明の概要】
【発明が解決しようとする課題】
【０００４】
このような通風式の加熱端末装置において、加熱対象空間を適正通り加熱できない場合があり、使用者に不快感を与える虞があった。
つまり、このような通風式の加熱端末装置における放熱部には、熱源機からの熱媒（通常は温水）が循環供給されることになるが、熱源機が通風式の加熱端末装置から大きく離れていると、加熱端末装置における各部の機器が正常に作動していても、熱源機から放熱部までに至る配管の通流抵抗が大きいことにより、熱源機からの熱媒の供給量が不足することや、熱媒の温度が放熱部に至るまでの途中での放熱により低下すること等が生じて、十分な加熱能力が発揮されないことがある。
【０００５】
また、加熱能力が不足する別の原因としては、熱媒を循環供給する熱源機が、通風式の加熱端末装置における放熱部と、他の放熱用端末、例えば床暖房用端末とに並列状態で熱媒を循環流動させるように構成されている場合が考えられる。
つまり、このような場合においては、他の放熱用端末にも熱媒が供給されるため、熱源機から通風式の加熱端末装置における放熱部に供給される熱媒の供給量が不足して、十分な加熱能力が発揮されないことがある。
【０００６】
ちなみに、上記したミストサウナを行える機能を備える浴室暖房機において、加熱能力が不足すると、ミストサウナ浴を行うために運転開始を指令したのち、浴室内がミストサウナを行うのに適した温度に上昇するまでの時間が長く掛かり、使用し難いものとなり、使用者は不快感を抱くものとなる。
【０００７】
使用者は、通風式の加熱端末装置の加熱能力の不足を感じると、設置業者等の管理者に不具合の発生を伝えることになり、不具合の発生を伝えられた管理者は、通風式の加熱装置及び熱源機の点検を行うことになるが、加熱端末装置及び熱源機における各部の機器が正常に動作しているため、管理者にとっても、加熱能力の不足の原因を迅速に特定できない場合もあり、その対処に手間取ることがあった。
つまり、加熱端末装置の加熱能力が不足する原因が、加熱端末装置及び熱源機が正常に作動していながらも、放熱部に対して外部から供給される熱媒が予定通り供給されていないことである場合には、そのような状況であることを使用者にて理解してもらえるように説明すれば、実状を理解した使用者は不快感を持つことなく、通風式の加熱端末装置を使用するものとなるが、上述の如く、管理者も加熱能力の不足の原因を迅速に特定できず、使用者に適切な説明を行えない虞があった。
【０００８】
本発明は、上記実情に鑑みて為されたものであって、その目的は、使用者が満足して使用することができる通風式の加熱端末装置を提供する点にある。
【課題を解決するための手段】
【０００９】
本発明の通風式の加熱端末装置は、熱媒が外部から供給される放熱部と、その放熱部を通して流動させて加熱した空気を加熱対象空間に供給する通風手段とが設けられたものであって、その第１特徴構成は、
前記加熱対象空間に供給される供給熱量を求める供給熱量取得手段と、
前記供給熱量取得手段にて求めた前記供給熱量に基づいて作動する処理手段とが設けられている点を特徴とする。
【００１０】
すなわち、供給熱量取得手段によって、加熱対象空間に供給される供給熱量が求められることになり、そして、求めた供給熱量に基づいて処理手段が作動することによって、使用者が満足して使用することが可能となる。
説明を加えると、処理手段が行う作動としては、供給熱量取得手段によって求めた供給熱量を表示させる、供給熱量取得手段によって求めた供給熱量をインターネット等の通信網を用いて管理会社に通知すること等を挙げることができる。
【００１１】
処理手段が、供給熱量取得手段によって求めた供給熱量が表示されるように構成される場合には、使用者はその表示された内容を読み取って、供給熱量が不足であると思えるときには、それを解消するための処置をとることが可能となり、また、供給熱量が不足であることを認識して、不満を抱くことなく使用を継続することが可能となる。
例えば、熱源機からの熱媒が、通風式の加熱端末装置における放熱部に加えて、他の放熱用端末に供給されているときには、他の放熱用端末の使用を停止させる、あるいは、他の放熱用端末の使用が停止されるまでは、供給熱量が不足するものであることを納得した状態で、使用を継続する等、使用者が不満を抱いたままで使用することを回避することが可能となる。
【００１２】
処理手段が、供給熱量取得手段によって求めた供給熱量を管理会社に通知するように構成される場合には、管理会社の管理者が通知されてくる情報を解析して、使用者に供給熱量が不足している実状を説明することにより、使用者が不満を抱いたままで使用することを回避することが可能となる。
【００１３】
つまり、処理手段によって、使用者が満足して使用することができる状態を現出するための作動を行わせるようにすることにより、使用者が不満を抱いたままで使用することを回避することが可能となる。
【００１４】
したがって、本発明の第１特徴構成によれば、使用者が満足して使用することができる通風式の加熱端末装置を提供できる。
【００１５】
本発明の第２特徴構成は、上記第１特徴構成に加えて、
前記処理手段が、前記供給熱量取得手段にて求めた前記供給熱量が設定基準熱量以上であるか否かを判定して、その判定結果に基づいて作動するように構成されている点を特徴とする。
【００１６】
すなわち、処理手段が、供給熱量取得手段にて求めた供給熱量が設定基準熱量以上であるか否かを判定し、そして、その判定結果に基づいて、使用者が満足して使用することができる状態を現出するための作動を行うことになる。
【００１７】
説明を加えると、処理手段が行う作動として、判定結果を表示させるように構成する場合を挙げることができる。そして、この場合、判定結果が表示されるので、供給熱量取得手段にて求めた供給熱量を単に表示させる場合に較べて、使用者にとって、加熱対象空間に供給される供給熱量が不足している状況であるか否かを理解し易いものとなる。
つまり、処理手段にて、供給熱量取得手段にて求めた供給熱量が設定基準熱量以上であるか否かを判定させることにより、処理手段が行う作動を一層良好なものにすることが可能となる。
【００１８】
したがって、本発明の第２特徴構成によれば、上記第１特徴構成による作用効果に加えて、処理手段が行う作動を一層良好なものにすることが可能となる通風式の加熱端末装置を提供できる。
【００１９】
本発明の第３特徴構成は、上記第２特徴構成に加えて、
前記処理手段が、前記判定結果を表示手段に表示させるように構成されている点を特徴とする。
【００２０】
すなわち、供給熱量取得手段にて求めた供給熱量が設定基準熱量以上であるか否かを判定した判定結果が、表示手段に表示されることになり、使用者は表示手段にて表示された内容を読み取って、供給熱量が設定基準熱量未満であるときには、それを解消するための処置をとることが可能となり、また、供給熱量が不足であることを認識して、不満を抱くことなく使用を継続することが可能となる。
【００２１】
例えば、熱源機からの熱媒が、通風式の加熱端末装置における放熱部に加えて、他の放熱用端末に供給されているときには、他の放熱用端末の使用を停止させる、あるいは、他の放熱用端末の使用が停止されるまでは、供給熱量が不足するものであることを納得した状態で、使用を継続する等、使用者が不満を抱いたままで使用することを回避することが可能となる。
【００２２】
そして、上記の如く、表示手段には、供給熱量取得手段にて求めた供給熱量が設定基準熱量以上であるか否かを判定した判定結果が表示されるものであるから、使用者は、供給熱量が不足している状態であるか否かを的確に認識し易いものとなる。
【００２３】
要するに、本発明の第３特徴構成によれば、上記第２特徴構成による作用効果に加えて、供給熱量が不足している状態であるか否かを的確に認識させることができる通風式の加熱端末装置を提供できる。
【００２４】
本発明の第４特徴構成は、上記第２特徴構成に加えて、
前記処理手段が、前記判定結果が以上で無い場合には、前記通風手段の通風量を増加させるように構成されている点を特徴とする。
【００２５】
すなわち、供給熱量取得手段にて求めた供給熱量が設定基準熱量以上で無い場合、つまり、供給熱量取得手段にて求めた供給熱量が設定基準熱量よりも小さい場合には、通風手段の通風量が増加されて、加熱対象空間に供給される供給熱量を増加させることが可能となる。
つまり、判定結果が設定基準熱量以上で無い場合には、通風手段の通風量を増加させて、通風される空気が放熱部から得る熱量を増加させて、加熱対象空間に供給される供給熱量を増加させることができる。
【００２６】
このように供給熱量取得手段にて求めた供給熱量が設定基準熱量以上で無い場合には、通風手段の通風量を増加させて、加熱対象空間に供給される供給熱量を増加させるものであるから、使用者が加熱能力の不足を感じ難いものとなる。
【００２７】
要するに、本発明の第４特徴構成によれば、上記第２特徴構成による作用効果に加えて、使用者が加熱能力の不足を感じ難いものとなる通風式の加熱端末装置を提供できる。
【００２８】
本発明の第５特徴構成は、上記第２〜第４特徴構成のいずれかに加えて、
前記通風手段が、前記加熱対象空間から吸引した空気を前記放熱部にて加熱するように流動させる形態で通風するように構成され、
前記加熱対象空間から吸引される空気の吸引温度を検出する吸引温度検出手段が設けられ、
前記処理手段が、前記吸引温度検出手段にて検出される吸引温度が高いほど前記設定基準熱量を低くするように構成されている点を特徴とする。
【００２９】
すなわち、通風手段が、加熱対象空間から吸引した空気を放熱部にて加熱するように流動させる形態で通風することになり、浴室内等の加熱対象空間を効率良く加熱できるようになる。
【００３０】
そして、処理手段が、吸引温度検出手段にて検出される吸引温度、つまり加熱対象空間内の温度が高いほど、設定基準熱量を低くして、供給熱量取得手段にて求めた供給熱量が設定基準熱量以上であるか否かを判定するものであるから、その判定を適切に行えるものとなる。
【００３１】
説明を加えると、放熱部に供給される熱媒の熱が通風される空気に伝導されることにより、通風される空気は加熱されるが、その空気の温度が高くなるほど、熱媒の熱が空気に伝導し難いものとなるから、空気の温度が高くなるほど、加熱対象空間に供給される供給熱量が小さくなる。
【００３２】
したがって、吸引温度検出手段にて検出される吸引温度が高いほど、設定基準熱量を低くして、供給熱量取得手段にて求めた供給熱量が設定基準熱量以上であるか否かを判定することにより、その判定結果は適切な結果になる。
【００３３】
要するに、本発明の第５特徴構成によれば、上記第２〜第４特徴構成のいずれかによる作用効果に加えて、供給熱量取得手段にて求めた供給熱量が設定基準熱量以上であるか否かの判定を適正に行える通風式の加熱端末装置を提供できる。
【００３４】
本発明の第６特徴構成は、上記第１〜第５特徴構成のいずれかに加えて、
前記放熱部に供給される熱媒の放熱部通過前の温度及び放熱部通過後の温度を検出する熱媒温度検出手段、及び、前記放熱部に供給される熱媒の通流量を検出する熱媒通流量検出手段が設けられ、
前記供給熱量取得手段が、前記熱媒温度検出手段にて検出される放熱部通過前の温度及び放熱部通過後の温度、並びに、前記熱媒通流量検出手段にて検出される通流量に基づいて、前記供給熱量として、前記放熱部に供給される熱媒の放熱量を演算するように構成されている点を特徴とする。
【００３５】
すなわち、供給熱量取得手段が、放熱部に供給される熱媒の放熱部通過前の温度及び放熱部通過後の温度、並びに、放熱部に供給される熱媒の通流量に基づいて、熱媒の放熱量を、加熱対象空間に供給される供給熱量として、演算することになる。
ちなみに、この演算は、熱媒の放熱部通過前の温度から放熱部通過後の温度を減算し、その値と熱媒の通流量との積を求めることになる。
【００３６】
そして、熱媒の温度やその通流量は精度良く求めることができるものであるから、結果的に、加熱対象空間に供給される供給熱量を精度良く求めることができる。
【００３７】
要するに、本発明の第６特徴構成によれば、上記第１〜第５特徴構成のいずれかによる作用効果に加えて、加熱対象空間に供給される供給熱量を精度良く求めることができる通風式の加熱端末装置を提供できる。
【００３８】
本発明の第７特徴構成は、上記第１〜第５特徴構成のいずれかに加えて、
前記通風手段が、前記加熱対象空間から吸引した空気を前記放熱部にて加熱するように流動させる形態で通風するように構成され、
前記通風手段にて前記加熱対象空間に供給される空気の供給温度を検出する供給温度検出手段、前記通風手段にて前記加熱対象空間から吸引される空気の吸引温度を検出する吸引温度検出手段、及び、前記通風手段による空気の通風量を検出する通風量検出手段が設けられ、
前記供給熱量取得手段が、前記供給温度検出手段にて検出される供給温度、前記吸引温度検出手段にて検出される吸引温度、及び、前記通風手段にて検出される通風量に基づいて、前記供給熱量を演算するように構成されている点を特徴とする。
【００３９】
すなわち、通風手段が、加熱対象空間から吸引した空気を放熱部にて加熱するように流動させる形態で通風することになり、浴室内等の加熱対象空間を効率良く加熱できるようになる。
【００４０】
そして、供給熱量取得手段が、加熱対象空間に供給される空気の供給温度、加熱対象空間から吸引される空気の吸引温度、及び、通風手段による空気の通風量に基づいて、加熱対象空間に供給される供給熱量を演算することになる。
ちなみに、この演算は、加熱対象空間に供給される空気の供給温度から加熱対象空間から吸引される空気の吸引温度減算し、その値と空気の通流量との積を求めることになる。
【００４１】
このように供給熱量取得手段は、空気の供給温度、空気の吸引温度、及び、空気の通風量に基づいて、加熱対象空間に供給される供給熱量を直接的に求めるものであるから、供給熱量を精度良く求めることができる。
【００４２】
要するに、本発明の第７特徴構成によれば、上記第１〜第５特徴構成のいずれかによる作用効果に加えて、加熱対象空間に供給される供給熱量を精度良く求めることができる通風式の加熱端末装置を提供できる。
【００４３】
本発明の第８特徴構成は、上記第１〜第５特徴構成のいずれかに加えて、
前記通風手段が、前記加熱対象空間から吸引口を通して吸引した空気を前記放熱部にて加熱するように流動させかつ加熱後の空気を吹出口から前記加熱対象空間に供給する形態で通風するように構成され、
前記吹出口から前記加熱対象空間に吹き出される空気の吹出方向を変更する吹出方向変更手段が、吹出方向を前記吸引口に向ける状態に変更できるように構成され、
前記吸引口から吸引される空気の吸引温度を検出する吸引温度検出手段、及び、前記通風手段による空気の通風量を検出する通風量検出手段が設けられ、
前記供給熱量取得手段が、前記吹出方向変更手段による吹出方向を前記吸引口に向けた状態において前記吸引温度検出手段にて検出される吹出温度、前記吹出方向変更手段による吹出方向を前記吸引口に向けない状態において前記吸引温度検出手段にて検出される吸引温度、及び、前記通風手段にて検出される通風量に基づいて、前記供給熱量を演算するように構成されている点を特徴とする。
【００４４】
すなわち、通風手段が、加熱対象空間から吸引口を通して吸引した空気を放熱部にて加熱するように流動させかつ加熱後の空気を吹出口から加熱対象空間に供給する形態で通風することになり、浴室内等の加熱対象空間を効率良く加熱できるようになる。
【００４５】
そして、供給熱量取得手段が、吹出方向変更手段による吹出方向を吸引口に向けた状態において吸引温度検出手段にて検出される吹出温度、吹出方向変更手段による吹出方向を前記吸引口に向けない状態において吸引温度検出手段にて検出される吸引温度、及び、通風手段にて検出される通風量に基づいて、加熱対象空間に供給する供給熱量を演算することになる。
ちなみに、この演算は、吹出温度から吸引温度を減算し、その値と空気の通流量との積を求めことになる。
【００４６】
このように、吸引温度検出手段を吸引温度の検出に加えて、吹出温度の検出にも利用して、加熱対象空間に供給する供給熱量を求めるものであるから、構成の簡素化を図りながら供給熱量を求めることができる。
つまり、浴室等の加熱対象空間に対して通風手段から空気を供給するにあたり、加熱対象空間の各部に空気を供給するようにするために、吹出方向変更手段が設けられることになるが、その吹出方向変更手段を利用して、吸引温度検出手段にて吸引温度に加えて吹出温度を検出させるようにするものであるから、吹出温度を検出する温度検出手段を吹出口に設置するようにするに較べて、構成の簡素化を図りながら供給熱量を求めることができる。
【００４７】
要するに、本発明の第８特徴構成によれば、上記第１〜第５特徴構成のいずれかによる作用効果に加えて、構成の簡素化を図りながら供給熱量を求めることができる通風式の加熱端末装置を提供できる。
【００４８】
本発明の第９特徴構成は、上記第１〜第５特徴構成のいずれかに加えて、
前記通風手段が、前記加熱対象空間から吸引した空気を前記放熱部にて加熱するように流動させる形態で通風するように構成され、
前記放熱部に供給される熱媒の放熱部通過前の温度及び放熱部通過後の温度を検出する熱媒温度検出手段、前記通風手段にて前記加熱対象空間から吸引される空気の吸引温度を検出する吸引温度検出手段、及び、前記通風手段による空気の通風量を検出する通風量検出手段が設けられ、
前記熱媒の放熱部通過前の温度、前記熱媒の放熱部通過後の温度、前記吸引温度、及び、前記通風量と、前記放熱部に循環供給される熱媒の通流量との関係を示す通流量関係情報を記憶する記憶手段が設けられ、
前記供給熱量取得手段が、前記熱媒温度検出手段にて検出される放熱部通過前の温度、前記熱媒温度検出手段にて検出される放熱部通過後の温度、前記吸引温度検出手段にて検出される吸引温度、前記通風量検出手段にて検出される通風量、及び、前記記憶手段に記憶された前記通流量関係情報に基づいて、前記放熱部に循環供給される熱媒の通流量を求めて、その求めた熱媒の通流量、並びに、前記温度検出手段にて検出される放熱部通過前の温度及び放熱部通過後の温度に基づいて、前記供給熱量として、前記放熱部に供給される熱媒の放熱量を演算するように構成されている点を特徴とする。
【００４９】
すなわち、通風手段が、加熱対象空間から吸引した空気を放熱部にて加熱するように流動させる形態で通風することになり、浴室内等の加熱対象空間を効率良く加熱できるようになる。
【００５０】
そして、供給熱量取得手段が、熱媒温度検出手段にて検出される放熱部通過前の温度、熱媒温度検出手段にて検出される放熱部通過後の温度、吸引温度検出手段にて検出される吸引温度、通風量検出手段にて検出される通風量、及び、記憶手段に記憶された通流量関係情報に基づいて、放熱部に循環供給される熱媒の通流量を求め、そして、その求めた熱媒の通流量、並びに、前記温度検出手段にて検出される放熱部通過前の温度及び放熱部通過後の温度に基づいて、供給熱量として、放熱部に供給される熱媒の放熱量を演算するである。
ちなみに、この演算は、熱媒の放熱部通過前の温度から放熱部通過後の温度を減算し、その値と熱媒の通流量との積を求めることになる。
【００５１】
つまり、加熱対象空間に供給される供給熱量して、放熱部に供給される熱媒の放熱量を求めるにあたり、放熱部に循環供給される熱媒の通流量を直接検出する通流量センサを設けることなく、記憶手段に記憶された通流量関係情報を用いながら、熱媒温度検出手段にて検出される放熱部通過前の温度、熱媒温度検出手段にて検出される放熱部通過後の温度、吸引温度検出手段にて検出される吸引温度、及び、通風量検出手段にて検出される通風量に基づいて、放熱部に供給される熱媒の放熱量を求めるものであるから、高価な通流量センサを装備するのに較べて、構成の簡素化を図りながら供給熱量を求めることができるのである。
【００５２】
ちなみに、熱媒温度検出手段や吸引温度検出手段は、サーミスタ等の温度計測素子を用いて安価に構成できるものである。また、通風量検出手段としては、例えば通風手段を構成する通風ファンの回転速度を回転センサにて検出して、その回転速度を通風量とするように構成すれば、通風量検出手段も安価に構成できるものとなる。
【００５３】
説明を加えると、放熱部に循環供給される熱媒の通流量が変化すると、通風量が同じでも、熱媒の放熱部通過前の温度、熱媒の放熱部通過後の温度、吸引温度が変化し、また、放熱部に循環供給される熱媒の通流量が同じでも、通風量が変化すると、熱媒の放熱部通過前の温度、熱媒の放熱部通過後の温度、吸引温度が変化する等、熱媒の放熱部通過前の温度、熱媒の放熱部通過後の温度、吸引温度、及び、通風量と、放熱部に循環供給される熱媒の通流量放熱部に循環供給される熱媒の通流量との間には関係があり、その関係は、予め実験により求めることができるものであることに着目して、予め実験により求めた通流量関係情報を記憶手段にて記憶させて、熱媒の通流量を求めるのに用いることにより、高価な熱媒通流量センサを装備することなく、供給熱量として、熱媒の放熱量を求めることができるのである。
【００５４】
要するに、本発明の第９特徴構成によれば、上記第１〜第５特徴構成のいずれかによる作用効果に加えて、構成の簡素化を図りながら供給熱量を求めることができる通風式の加熱端末装置を提供できる。
【００５５】
本発明の第１０特徴構成は、上記第６又は第９特徴構成に加えて、
前記熱媒温度検出手段が、前記放熱部に対する熱媒供給路における前記放熱部よりも熱媒流動方向下手側箇所の温度を検出する温度検出部を備えて、前記通風手段を通風作動させない状態において前記温度検出部にて検出される温度を、熱媒の放熱部通過前の温度として検出し、前記通風手段を通風作動させた状態において前記温度検出部にて検出される温度を、熱媒の放熱部通過後の温度として検出するように構成されている点を特徴とする。
【００５６】
すなわち、放熱部に対する熱媒供給路における放熱部よりも熱媒流動方向下手側箇所の温度を検出する温度検出部を備えさせて、通風手段を通風作動させない状態において温度検出部にて検出される温度を、熱媒の放熱部通過前の温度として、通風手段を通風作動させた状態において温度検出部にて検出される温度を、熱媒の放熱部通過後の温度として検出するである。
【００５７】
このように温度検出部として、熱媒供給路における放熱部よりも熱媒流動方向下手側箇所の温度を検出する温度検出部を備えさせるだけで、熱媒の放熱部通過前の温度と、通風熱媒の放熱部通過後の温度とを検出するものであるから、放熱部に対する熱媒供給路における放熱部よりも熱媒流動方向上手側箇所の温度を検出する温度検出部を備えさせて、熱媒の放熱部通過前の温度を検出させるようにするに較べて、構成の簡素化を図ることができる。
【００５８】
要するに、本発明の第１０特徴構成によれば、上記第６又は第９特徴構成による作用効果に加えて、構成の簡素化を図ることができる通風式の加熱端末装置を提供できる。
【００５９】
本発明の加熱設備は、熱媒を循環供給する熱源機が、上記第１〜第１０特徴構成のいずれかに記載の通風式の加熱端末装置における前記放熱部と、他の放熱用端末とに並列状態で熱媒を循環流動させるように構成されている点を特徴とする。
【００６０】
すなわち、熱源機からの熱媒が、通風式の加熱端末装置における放熱部と、他の放熱用端末とに並列状態で循環流動させるため、つまり、熱媒が、通風式の加熱端末装置における放熱部に加えて、他の放熱用端末にも供給されるため、熱源機から通風式の加熱端末装置における放熱部に供給される熱媒の供給量が不足して、十分な加熱能力が発揮されない虞がある。
【００６１】
ところが、通風式の加熱端末装置には、加熱対象空間に供給される供給熱量を求める供給熱量取得手段と、その供給熱量取得手段にて求めた供給熱量に基づいて作動する処理手段が設けられているから、上述の如く、十分な加熱能力が発揮されない場合においても、通風式の加熱端末装置を使用者が満足して使用することになるのである。
【００６２】
要するに、本発明の加熱設備によれば、熱源機からの熱媒が、通風式の加熱端末装置における放熱部と、他の放熱用端末とに並列状態で循環流動させることにより、通風式の加熱端末装置における加熱能力が十分に発揮されない場合においても、通風式の加熱端末装置を使用者が満足して使用することになる加熱設備を提供できる。
【図面の簡単な説明】
【００６３】
【図１】加熱設備の概略斜視図
【図２】第１実施形態の浴室暖房乾燥機の概略図
【図３】第１実施形態の制御構成を示すブロック図
【図４】第１実施形態の制御作動を示すフローチャート
【図５】熱媒の通流量と供給熱量との関係を示すグラフ
【図６】第２実施形態の制御作動を示すフローチャート
【図７】第３実施形態の浴室暖房乾燥機の概略図
【図８】第３実施形態の制御構成を示すブロック図
【図９】第３実施形態の制御作動を示すフローチャート
【図１０】第４実施形態の浴室暖房乾燥機の概略図
【図１１】第４実施形態の制御構成を示すブロック図
【図１２】第４実施形態の制御作動を示すフローチャート
【図１３】第５実施形態の浴室暖房乾燥機の概略図
【図１４】第５実施形態の制御構成を示すブロック図
【図１５】第５実施形態の制御作動を示すフローチャート
【発明を実施するための形態】
【００６４】
〔第１実施形態〕
以下、本発明の第１実施形態を図面に基づいて説明する
図１に示すように、通風式の加熱端末装置としての、ミストサウナ機能付き浴室暖房乾燥機Ａと、他の放熱用端末としての、床暖房装置Ｂと、熱媒としての湯水を循環供給する熱源機４とが設けられて加熱設備が構成されている。
熱源機４は、熱媒としての加熱した湯水（例えば８０℃）を、往き管３Ａと戻り管３Ｂとを用いて、浴室暖房乾燥機Ａと床暖房装置Ｂとに並列状態で循環流動するように構成されるものであって、詳述はしないが、湯水加熱用の熱交換器、その熱交換器を加熱するバーナ、湯水循環用のポンプ、及び、バーナの燃焼やポンプの作動を制御するコントローラ４Ａ（図３参照）等を備えて、運転指令が指令されると、加熱した湯水を往き管３Ａと戻り管３Ｂとを用いて循環流動させるように構成されている。
【００６５】
浴室暖房乾燥機Ａは、浴室Ｙの天井部に設置される暖房乾燥用の本体ユニット１と、その本体ユニット１の上部に重ねる状態で設置されるミストサウナ用の湯水供給ユニット２とを備えて構成されている。
そして、それら本体ユニット１及び湯水供給ユニット２に対して、熱源機４からの湯水が循環供給されるように構成され、また、本体ユニット１及び湯水供給ユニット２の運転を制御するマイクロコンピュータを主要部として構成される運転制御手段Ｈ（図３参照）に対して、暖房運転指令、乾燥運転指令、換気運転指令、及び、ミストサウナ運転指令等の各種の情報を指令するリモコン操作部として、浴室内に設置される浴室リモコン５及び脱衣室に設置される脱衣室リモコン６が設けられている。
尚、詳述はしないが、浴室リモコン５及び脱衣室リモコン６にて、暖房運転指令、乾燥運転指令、及び、ミストサウナ運転指令が指令されると、運転制御手段Ｈが熱源機４に運転指令を指令することになる。
【００６６】
床暖房装置Ｂは、パネル本体４１の内部に、蛇行状に通流管４２を配設したものであって、熱源機４からの湯水が通流管４２を通して流動されるように構成されている。
尚、例示はしないが、床暖房装置Ｂに対する運転リモコンが設けられ、この運転リモコンにて運転開始指令を指令すると、熱源機４に運転指令が指令されるように構成されている。
【００６７】
以下、ミストサウナ機能付き浴室暖房乾燥機Ａについて説明する。
図２に示すように、本体ユニット１は、下面側が開口した本体ケーシング１Ａとその本体ケーシング１Ａの下部に配置されるグリル板１Ｂとを備えている。
本体ケーシング１Ａの内部には、空気を加熱する加熱用熱交換器Ｋ、浴室内の空気を循環通風する循環ファンＦ、及び、換気ファンＧが収納されている。
グリル板１Ｂには、後述の如く、湯水供給路用流路Ｒを通して供給される湯水を浴室内にミスト状に噴出する一対のミストノズルＮが設けられている。
【００６８】
循環ファンＦは、グリル板１Ｂに形成した吸引口７を通して浴室Ｙから空気を吸引し、
吸引した空気を空気加熱用の熱交換器Ｋを通して流動させ、加熱した空気をグリル板１Ｂに形成した吹出口８を通して浴室内に吹き出す形態で、浴室内の空気を循環通風するように構成されている。
吹出口８には、吹出方向を変更調整する可動ルーバ９が設けられている。この可動ルーバ９は、電動モータ９Ａ（図３参照）にて向き変更操作されるように構成されるものであって、浴室リモコン５及び脱衣室リモコン６にて指令される設定方向を向く状態に、運転制御手段Ｈが、電動モータ９Ａを作動させるように構成されている。つまり、詳述はしないが、可動ルーバ９の向きを検出する向き検出センサ９Ｂ（図３参照）が設けられ、運転制御手段Ｈが、向き検出センサ９Ｂの検出情報に基づいて、可動ルーバ９を浴室リモコン５及び脱衣室リモコン６にて指令された設定方向に向けるようにすべく、電動モータ９Ａを作動させるように構成されている。
【００６９】
換気ファンＧは、グリル板１Ｂに形成した換気用吸気口１０を通して浴室内の空気を吸引し、排気ダクト１１（図１参照）を通して吸引した空気を外部に排出するように構成されている。
尚、本体ケーシング１Ａの横側壁に形成した換気用排気口１２には、換気のために排気される空気にて押し開かれる逆流防止用閉塞板１３が設けられている。
【００７０】
湯水供給ユニット２は、ケーシング２Ａを備え、そのケーシング２Ａの内部には、湯水供給用流路Ｒの途中に配設されて、ミストノズルＮに供給される湯水を加熱する加熱手段としての湯水加熱用の熱交換器Ｍが装備されている。この湯水加熱用の熱交換器Ｍは、加熱液体と被加熱液体とを伝熱プレートを隔てて流動させて熱交換する、いわゆるプレート式の液々熱交換器を用いて構成されている。
【００７１】
空気加熱用の熱交換器Ｋ及び湯水加熱用の熱交換器Ｍは、熱源機４から供給される湯水が通流されて加熱作用するように構成されている。つまり、熱源機４からの往き管３Ａが接続される受入管１４ａ、その受入管１４ａに接続されて空気加熱用の熱交換器Ｋに向けて分岐される第１分岐管１４ｂ、受入管１４ａに接続されて湯水加熱用の熱交換器Ｍに向けて分岐される第２分岐管１４ｃ、熱源機４への戻り管３Ｂに接続された排水管１４ｄ、空気加熱用の熱交換器Ｋから排出された湯水を排水管１４ｄに導く第１排水管１４ｅ、及び、湯水加熱用の熱交換器Ｍから排出された湯水を排水管１４ｄに導く第２排水管１４ｆの夫々が設けられている。
【００７２】
熱源機４から供給される湯水が空気加熱用の熱交換器Ｋに供給されるのを断続する通電加熱式の熱動弁１５が、第１分岐管１４ｂに配設され、また、熱源機４から供給される湯水が湯水加熱用の熱交換器Ｍに供給されるのを断続し且つ供給量を調節する電磁比例式の温水比例弁１６が、第２分岐管１４ｃに配設されている。
したがって、熱動弁１５を開閉することにより、空気加熱用の熱交換器Ｋを加熱作用状態と加熱停止状態とに切換えることができるように構成されている。
また、温水比例弁１６を開閉することにより、湯水加熱用の熱交換器Ｍを加熱作用状態と加熱停止状態とに切換えることができ、且つ、温水比例弁１６の開度を調節することにより、湯水加熱用の熱交換器Ｍの加熱量を調整できるように構成されている。
尚、空気加熱用の熱交換器Ｋは、水平姿勢で設置される第１熱交換部１７ａと立ち姿勢で設置される第２熱交換部１７ｂとを備えるように構成されている。
【００７３】
湯水供給用流路Ｒは、供給管１８（図１参照）を通して供給される水道水を湯水加熱用の熱交換器Ｍに導く入水管１９ａ、湯水加熱用の熱交換器Ｍからの湯水をノズルＮに向けて案内する案内管１９ｂ、及び、その案内管１９ｂからの湯水を一対のノズルＮに導く一対の分岐案内管１９ｃから構成されている。
そして、湯水がノズルＮに供給されるのを断続する電磁式のミスト断続弁２０が、一対の分岐案内管１９ｃの夫々に配設されている。
また、供給管１８からの水道水が湯水加熱用の熱交換器Ｍに供給されるのを断続する電磁式の水断続弁２１、及び、湯水供給用流路Ｒの内部の湯水が供給管１８の存在側に逆流するのを防止する逆止弁２２が、入水管１９ａに配設されている。
【００７４】
湯水加熱用の熱交換器Ｍからの湯水をノズルＮに向けて案内する案内管１９ｂに、外部に湯水を放出する外部放出管２３が接続され、その外部放出管２３に、湯水を放出する状態と放出停止状態とに切換える電磁式の放出弁２４が設けられ、外部放出管２３には、放出する湯水を外部放出箇所に導く外部配管２５（図１参照）が接続されている。
放出弁２４は、ミストサウナ運転を行う際に、前回のミストサウナ運転を実行してからの経過時間が設定時間以上であるときに、運転制御手段Ｈにて放出状態に切換えられて、湯水加熱用の熱交換器Ｍに残留する湯水を放出するのに用いられる。尚、このように残留する湯水を排出するときには、水断続弁２１が開かれることはもちろんである。
【００７５】
図３に示すように、運転制御手段Ｈは、循環ファンＦ、換気ファンＧ、熱動弁１５、温水比例弁１６、ミスト断続弁２０、及び、水断続弁２１の作動を制御して、暖房運転、乾燥運転、換気運転、及び、ミストサウナ運転等の各種の運転を行うことになる。つまり、浴室リモコン５及び脱衣室リモコン６により、上述の如く、暖房運転指令、乾燥運転指令、換気運転指令、及び、ミストサウナ運転指令等の各種の情報が指令されると、運転制御手段Ｈは、その指令された運転を実行するように、各種の機器の作動を制御することになる。
尚、運転制御手段Ｈは、浴室リモコン５及び脱衣室リモコン６にて各種の運転が指令されたときに、熱源機４からの温水が必要な場合には、前述の如く、熱源機４のコントローラ４Ａに対して運転指令を指令することになる。
【００７６】
運転制御手段Ｈは、上述の如く、暖房運転指令、乾燥運転指令、換気運転指令、及び、ミストサウナ運転指令が指令されると、その指令された運転を実行することになる。
つまり、暖房運転指令が指令されると、熱動弁１５を開いて空気加熱用の熱交換器Ｋを加熱作用状態に切換え、循環ファンＦを作動させる暖房運転を行なうことになる。
乾燥運転指令が指令されると、暖房運転における作動に加えて、換気ファンＧを作動させることになる。
ミストサウナ運転指令が指令されると、暖房運転の作動に加えて、温水比例弁１６を開いて湯水加熱用の熱交換器Ｍを加熱作用状態に切換え、ミスト断続弁２０、及び、水断続弁を開いて、ミストノズルＮから温水をミスト状に噴出させるミストサウナ運転を行うことになる。
換気運転指令が指令されると、換気ファンＧを作動させる換気運転を行うことになる。
【００７７】
運転制御手段Ｈが実行する運転について説明を加える、
循環ファンＦの通風により、グリル板１Ｂに形成した吸引口７を通して浴室Ｙから吸引される空気の温度Ｕ（以下、吸引温度と略称）を検出する浴室温度センサ３１が設けられている。
熱源機４から供給される湯水（熱媒）の温度ＴＡ（以下、熱媒温度と略称）を検出する湯水温度検出センサ３０が、排水管１４ｄに設けられている。
湯水加熱用の熱交換器Ｍにて加熱されてミストノズルＮに供給される湯水の温度を検出するミスト温度検出センサ３２が、案内管１９ｂに設けられている。
【００７８】
運転制御手段Ｈは、暖房運転指令、乾燥運転指令、及び、ミストサウナ運転指令が指令されたときには、先ず、熱動弁１５を開き、その後、湯水温度検出センサ３０の検出温度ＴＡの変動範囲が設定範囲Ｔα（例えば２℃）内である状態が、設定時間（例えば３〜５秒）の間継続すると、循環ファンＦを作動させるように構成されている。
そして、ミストサウナ運転では、その後、浴室温度センサ３１にて検出される吸引温度Ｕが設定温度（例えば２８℃）以上になると、ミストノズルＮから温水をミスト状に噴出することを開始するように構成され、また、ミスト温度検出センサ３２にて検出される湯水の温度が設定温度になるように、温水比例弁１６にて湯水加熱用の熱交換器Ｍに供給される湯水（熱媒）の通流量を調整することになる。
さらに、乾燥運転では、循環ファンＦを作動させた後に、換気ファンＧを作動させることになる。
尚、図３に示すように、循環ファンＦの回転速度Ｑを検出する回転速度検出センサ３５が設けられ、運転制御手段Ｈは、回転速度検出センサ３５の検出情報に基づいて、循環ファンＦを設定回転速度Ｓ１にて作動させるように構成されている。
【００７９】
また、運転制御手段Ｈを主要部として、加熱対象空間として浴室Ｙの内部空間に供給される供給熱量を求める供給熱量取得手段１００と、その供給熱量取得手段１００にて求めた供給熱量に基づいて作動する処理手段２００とが構成されており、次に、それらについて説明を加える。
【００８０】
放熱部としての空気加熱用の熱交換器Ｋに供給される湯水（熱媒）の放熱部通過前の温度ｔ１及び放熱部通過後の温度ｔ２を検出する熱媒温度検出手段Ｖが、湯水温度検出センサ３０を、空気加熱用の熱交換器Ｋに対する熱媒供給路における空気加熱用熱交換器Ｋよりも熱媒流動方向下手側箇所の温度を検出する温度検出部として用い、かつ、運転制御手段Ｈを主要部として構成されている。つまり、運転制御手段Ｈが、通風手段としての循環ファンＦを通風作動させない状態において湯水温度検出センサ３０にて検出される熱媒温度ＴＡを、湯水（熱媒）の放熱部通過前の温度ｔ１として検出し、循環ファンＦを通風作動させた状態において水温度検出センサ３０にて検出される熱媒温度ＴＡを、湯水（熱媒）の放熱部通過後の温度ｔ２として検出するように構成されている。
【００８１】
循環ファンＦにて浴室Ｙの内部空間（加熱対象空間）から吸引される空気の吸引温度Ｕを検出する吸引温度検出手段が、浴室温度センサ３１にて構成されている。
循環ファンＦによる空気の通風量を検出する通風量検出手段が、回転速度検出センサ３５にて構成されている。つまり、循環ファンＦの通風量はその回転速度Ｑと概ね比例関係にあるため、循環ファンＦの回転速度Ｑをその通風量として扱うように構成されている。
【００８２】
湯水（熱媒）の放熱部通過前の温度ｔ１、湯水（熱媒）の放熱部通過後の温度ｔ２、吸引温度Ｕ、及び、回転速度（通風量）Ｑと、放熱部としての空気加熱用熱交換器Ｋに循環供給される湯水（熱媒）の通流量Ｌとの関係を示す通流量関係情報を記憶する記憶手段Ｄが、運転制御手段Ｈに設けられている。尚、この記憶手段Ｄは、不揮発性のメモリを用いて構成されることになる。
すなわち、通流量関係情報は、予め実験により、湯水（熱媒）の温度や通流量、循環ファンＦの回転速度を変化させながら、湯水（熱媒）の放熱部通過前の温度ｔ１、湯水（熱媒）の放熱部通過後の温度ｔ２、吸引温度Ｕ、及び、回転速度（通風量）Ｑと、湯水（熱媒）の通流量Ｌとの関係を求めたものであり、そして、その求めた通流量関係情報が記憶手段Ｄに記憶されている。尚、暖房運転、乾燥運転、及び、ミストサウナ運転の夫々に対応する通流量関係情報が別の情報として求められて、記憶手段Ｄに記憶されるようになっている。
【００８３】
供給熱量取得手段１００が、熱媒温度検出手段Ｖにて検出される放熱部通過前の温度ｔ１、熱媒温度検出手段にて検出される放熱部通過後の温度ｔ２、浴室温度センサ３１にて検出される吸引温度Ｕ、回転速度検出センサ３５にて検出される回転速度Ｑ、及び、記憶手段Ｄに記憶された通流量関係情報に基づいて、空気加熱用の熱交換器Ｋに循環供給される熱媒の通流量Ｌを求めて、その求めた熱媒の通流量Ｌ、並びに、温度検出手段Ｖにて検出される放熱部通過前の温度ｔ１及び放熱部通過後の温度ｔ２に基づいて、浴室Ｙの内部空間に供給される供給熱量Ｅとして、空気加熱用の放熱部に供給される熱媒の放熱量を演算するように構成されている、
ちなみに、この演算は、湯水（熱媒）の放熱部通過前の温度ｔ１から放熱部通過後の温度ｔ２を減算し、その値と湯水（熱媒）の通流量Ｌとの積を求めることになる。
【００８４】
処理手段２００が、供給熱量取得手段１００にて求めた供給熱量Ｅが設定基準熱量Ｊ以上であるか否かを判定して、その判定結果に基づいて作動するように構成されている。
具体的には、処理手段２００が、表示手段としての、液晶表示部を備えた浴室リモコン５や脱衣室リモコン６に、判定結果を表示するように構成されている。
その表示形態としては、供給熱量Ｅが設定基準熱量Ｊよりも小さいときに、「能力不足」と文字にて表示するようにし、供給熱量Ｅが設定基準熱量Ｊ以上のときには、特別な表示を行わない形態とすることができる。
そして、「能力不足」を表示するときには、併せて、供給熱量Ｅを数値表示させるようにし、また、ガス消費量を演算して表示させるようにしてもよい。
【００８５】
また、処理手段２００が、浴室温度センサ３１にて検出される吸引温度Ｕが高いほど設定基準熱量Ｊを低くするように構成されている。
つまり、図５は、予め実験により求めたグラフであるが、湯水（熱媒）の通流量Ｌが多いほど、供給熱量Ｅが多くなることを読み取ることができ、また、浴室温度センサ３１にて検出される吸引温度Ｕが、２０℃のときの方が４０℃のときよりも、同じ通流量Ｌでも供給熱量Ｅが高くなることを読み取ることをできる。
ちなみに、本実施形態においては、通流量Ｌが１．５Ｌ／ｍｉｎであるときを基準として設定基準熱量Ｊを定めるようにしており、吸引温度Ｕに応じた設定基準熱量Ｊが実験により求められて、運転制御手段Ｈに記憶されている。
【００８６】
次に、図４に示すフローチャートに基づいて、運転制御手段Ｈが実行する運転処理について説明する。
先ず、浴室リモコン５及び脱衣室リモコン６にて運転開始指令が指令されたか否か、つまり、暖房運転指令、乾燥運転指令、換気運転指令、及び、ミストサウナ運転指令のいずれかが指令されたか否かをチェックし（＃１）、指令されていない場合には、待機する。
【００８７】
＃１にて、運転開始指令が指令されたと判断したときには、次に、換気運転の指令であるか否かをチェックし（＃２）、換気運転である場合には、換気ファンＧを作動させる等の換気運転処理（＃５）を実行し、その換気運転を実行した時間が設定時間に達するか、あるいは、浴室リモコン５及び脱衣室リモコン６にて運転停止指令が指令されると、停止タイミングであると判断し（＃６）、換気ファンＧを停止させる等、暖房乾燥機Ａの運転を停止する停止処理を実行する（＃２６）。
【００８８】
＃２にて、換気運転ではないと判断した場合には、先ず、熱動弁１５を開く（＃３）。
その後、湯水温度検出センサ３０にて検出される熱媒温度ＴＡが変動する範囲が、設定範囲Ｔα（例えば２℃）内であり、かつ、その状態が設定時間（例えば３〜５秒）の間継続する状態となるまで、つまり、設定時間の熱媒温度ＴＡの変化が設定範囲Ｔαとなるまで待機することになり、その状態になると、湯水温度検出センサ３０にて検出される熱媒温度ＴＡを、放熱部通過前の温度ｔ１として記憶し（＃１１）、次に、循環ファンＦを設定回転速度Ｓ１にて作動させる（＃１２）。
【００８９】
循環ファンＦを作動させた後は、湯水温度検出センサ３０にて検出される熱媒温度ＴＡを、放熱部通過後の温度ｔ２として記憶し、また、浴室温度センサ３１にて検出される温度を吸引温度Ｕとして記憶する（＃１３）。
【００９０】
次に、記憶した吸引温度Ｕ、及び、吸引温度Ｕに応じた設定基準熱量Ｊを示す予め記憶された判別情報に基づいて、設定基準熱量Ｊを設定する設定基準熱量設定処理を実行する（＃２１）。
引き続き、記憶した放熱部通過前の温度ｔ１、記憶した放熱部通過後の温度ｔ２、記憶した吸引温度Ｕ、循環ファンＦの回転速度Ｑ、及び、記憶手段Ｄに記憶された通流量関係情報に基づいて、空気加熱用の熱交換器Ｋに循環供給される湯水（熱媒）の通流量Ｌを求め、そして、その求めた湯水（熱媒）の通流量Ｌ、記憶した放熱部通過前の温度ｔ１、及び、記憶した放熱部通過後の温度ｔ２に基づいて、浴室Ｙの内部空間に供給される供給熱量Ｅとして、空気加熱用の熱交換器Ｋに供給される湯水（熱媒）の放熱量を演算する供給熱量所得処理を行う（＃２２）。
【００９１】
次に、供給熱量Ｅが設定基準熱量Ｊより不足する否かをチェックし（＃２３）、不足する場合には、浴室リモコン５や脱衣室リモコン６に、「能力不足」であることを文字にて表示させる表示処理を行う（＃２４）。尚、フローチャート上での記載は省略するが、＃２３のチェックにて、不足しないことが判別された場合には、浴室リモコン５や脱衣室リモコン６での表示は停止されることになる。
【００９２】
その後、浴室リモコン５及び脱衣室リモコン６にて設定された設定運転時間が経過するか、あるいは、浴室リモコン５及び脱衣室リモコン６にて運転停止指令が指令されると、停止タイミングであると判断し（＃２５）、暖房乾燥機Ａを停止すること、つまり、熱動弁１５、ミスト断続弁２０、温水比例弁１６等の弁類を閉じ、循環ファンＦや換気ファンＦを停止する等の処理を行う停止処理を実行する（＃２６）。
【００９３】
そして、＃２５にて、停止タイミングでないと判断したときには、例えば、ミストサウナ運転の場合には、循環ファンＦ、ミスト断続弁２０、温水比例弁１６、及び、水断続弁２１等の操作を行う等、暖房運転、乾燥運転、及び、ミストサウナ運転の夫々を行うのに必要な運転処理を実行し（＃２７）、その後、＃１３からの処理を繰り返すことになる。
【００９４】
〔第２実施形態〕
次に、本発明の第２実施形態を説明する。
この第２実施形態は、処理手段２００の作動内容が異なる以外は、上記第１実施形態と同じであるので、その点のみ説明して、他の説明を省略する。
つまり、処理手段２００が、判定結果が以上で無い場合、つまり、供給熱量Ｅが設定基準熱量Ｊより小さい場合には、循環ファンＦの通風量を増加させて、供給熱量Ｅを増加させるように構成されている。
【００９５】
具体的には、図６のフローチャートに示すように、第１実施形態においては、＃２４にて表示処理が実行されたが、この第２実施形態では、＃２４に対応する＃２４Ａにて、供給熱量取得手段１００にて求めた供給熱量Ｅが設定基準熱量Ｊより小さいときには、循環ファンＦの回転速度を、当初の設定回転速度Ｓ１よりも高速の設定回転速度Ｓ２に変更して、循環ファンＦを作動させる処理を行い、そして、供給熱量取得手段１００にて求めた供給熱量Ｅが設定基準熱量Ｊ以上のときには、循環ファンＦを、当初の設定回転速度Ｓ１にて作動させる処理を行う（＃２４Ｂ）。
【００９６】
高速の設定回転速度Ｓ２は、当初の設定回転速度Ｓ１よりも設定量速い回転速度として定められるものであり、そして、循環ファンＦの回転速度を高速の回転速度２に変更しても、供給熱量Ｅの不足が必ず解消されるものではなく、供給熱量Ｅが少量増加する程度である。
つまり、循環ファンＦの回転速度を増大し過ぎると、入浴者が冷風感を感じる虞があるため、入浴者が冷風感を感じることの無いような回転速度を実験により求めて、その回転速度を高速の設定回転速度Ｓ２として定めている。
【００９７】
〔第３実施形態〕
次に、本発明の第３実施形態を説明する。
この第３実施形態は、供給熱量取得手段１００の構成が異なる以外は、上記第１実施形態と同じであるので、その点のみ説明して、他の説明を省略する。
すなわち、図７及び図８に示すように、温水（熱媒）の供給管３７に接続された受入管１４ａに、温水（熱媒）の温度、つまり熱媒温度ＴＦを検出する入水温度検出センサ３３が設けられている。
そして、この第３実施形態では、湯水（熱媒）の放熱部通過前の温度ｔ１及び放熱部通過後の温度ｔ２を検出する熱媒温度検出手段Ｖが、湯水温度検出センサ３０及び入水温度検出センサ３３にて構成されることになる。つまり、入水温度検出センサ３３にて検出される熱媒温度ＴＦが放熱部通過前の温度ｔ１となり、湯水温度検出センサ３０にて検出され熱媒温度ＴＡが放熱部通過後の温度ｔ２となるように構成されている。
【００９８】
また、温水（熱媒）の供給管３７に接続された受入管１４ａに、温水（熱媒）の通流量Ｌを検出する通流量検出センサ３６が、熱媒通流量検出手段として設けられている。
【００９９】
供給熱量取得手段１００が、入水温度検出センサ３３にて検出される放熱部通過前の温度ｔ１、及び、湯水温度検出センサ３０にて検出される放熱部通過後の温度ｔ２、並びに、通流量検出センサ３６にて検出される通流量Ｌに基づいて、浴室Ｙの内部空間に供給する供給熱量Ｅとして、空気加熱用の熱交換器Ｋに供給される湯水（熱媒）の放熱量を演算するように構成されている。
ちなみに、この演算は、湯水（熱媒）の放熱部通過前の温度ｔ１から放熱部通過後の温度ｔ２を減算し、その値と湯水（熱媒）の通流量Ｌとの積を求めことになる。
【０１００】
図９に示すフローチャートに基づいて説明を加えると、＃１〜＃６までの処理、及び、＃２１〜＃２７までの処理は、第１実施形態と同様であり、第１実施形態における＃１１〜＃１３の処理に代えて、次ぎの処理が行われることになる。
すなわち、＃４にて、湯水温度検出センサ３０にて検出される熱媒温度ＴＡが変動する範囲が、設定範囲Ｔα（例えば２℃）内であり、かつ、その状態が設定時間（例えば３〜５秒）の間継続する状態、つまり、設定時間の熱媒温度ＴＡの変化が設定範囲Ｔαとなる状態であると判別すると、循環ファンＦを設定回転速度Ｓ１にて作動させる（＃１０１）。
【０１０１】
次に、入水温度センサ３３にて検出される熱媒温度ＴＦを、放熱部通過前の温度ｔ１として記憶し、湯水温度検出センサ３０にて検出される熱媒温度ＴＡを、放熱部通過後の温度ｔ２として記憶し、通流量検出センサ３６にて検出される通流量Ｌを記憶し、さらに、浴室温度センサ３１にて検出される吸引温度Ｕを記憶する処理を実行する（＃１０２）
そして、それら記憶された情報に基づいて、設定基準熱量設定処理（＃２１）、及び、供給熱量取得処理（＃２２）が実行され、その後は、第１実施形態と同様の処理が行われることになる。
【０１０２】
〔第４実施形態〕
次に、本発明の第４実施形態を説明する。
この第４実施形態は、供給熱量取得手段１００の構成が異なる以外は、上記第１実施形態と同じであるので、その点のみ説明して、他の説明を省略する。
すなわち、図１０及び図１１に示すように、この第４実施形態では、循環ファンＦにて浴室Ｙの内部に供給される空気の供給温度Ｐを検出する供給温度検出センサ３４が、供給温度検出手段として、吹出口８に装備されている。
尚、この第４実施形態においては、湯水温度検出センサ３０を省略して、温水（熱媒）の供給管３７に接続された受入管１４ａに、熱媒温度ＴＦを検出する入水温度検出センサ３３が設けられている。
【０１０３】
供給熱量取得手段１００が、供給温度検出センサ３４にて検出される供給温度Ｐ、浴室温度センサにて検出される吸引温度Ｕ、及び、回転速度検出センサ３５にて検出される回転速度Ｑ（通風量）に基づいて、前記供給熱量Ｅを演算するように構成されている。
ちなみに、この演算は、供給温度Ｐから吸引温度Ｕを減算し、その値と回転速度Ｅから求める空気の通流量との積を求めことになる。
【０１０４】
図１２に示すフローチャートに基づいて説明を加えると、＃１〜＃６までの処理、及び、＃２１〜＃２７までの処理は、第１実施形態と同様であり、第１実施形態における＃１１〜＃１３の処理に代えて、次ぎの処理が行われることになる。
すなわち、＃４にて、入水温度検出センサ３３の検出温度ＴＦが変動する範囲が、設定範囲Ｔα（例えば２℃）内であり、かつ、その状態が設定時間（例えば３〜５秒）の間継続する状態、つまり、設定時間の熱媒温度ＴＦの変化が設定範囲Ｔαとなる状態であると判別すると、循環ファンＦを設定回転速度Ｓ１にて作動させる（＃２０１）。
【０１０５】
次に、浴室温度センサ３１にて検出される吸引温度Ｕを記憶し、供給温度センサ３４にて検出される供給温度Ｐを記憶し、回転速度検出センサ３５にて検出される回転速度Ｑを記憶する処理を実行する（＃２０２）。
そして、それら記憶された情報に基づいて、設定基準熱量設定処理（＃２１）、及び、供給熱量取得処理（＃２２）が実行され、その後は、第１実施形態と同様の処理が行われることになる。
【０１０６】
〔第５実施形態〕
次に、本発明の第５実施形態を説明する。
この第５実施形態は、供給熱量取得手段１００の構成が異なる以外は、上記第１実施形態と同じであるので、その点のみ説明して、他の説明を省略する。
この第５実施形態では、図１３及び図１４に示すように、吹出方向変更手段としての可動ルーバ９、及び、吸引温度検出手段としての浴室温度センサ３１を有効利用して、循環ファンＦにて浴室Ｙの内部に供給される空気の供給温度、つまり吹出温度Ｗを検出するように構成されている。
【０１０７】
すなわち、供給熱量取得手段１００が、図１３において実線にて示すように、可動ルーバ９による吹出方向を吸引口７に向けた状態において浴室温度センサ３１にて検出される吸引温度Ｕを吹出温度Ｗとし、可動ルーバ９を吸引口７に向けない状態（図２参照）において浴室温度センサ３１にて検出される吸引温度Ｕを吸引温度とし、そして、吹出温度Ｗ、吸引温度Ｕ、及び、回転速度検出センサ３５にて検出されるファン回転速度Ｑに基づいて、前記供給熱量Ｅを演算するように構成されている
ちなみに、この演算は、吹出温度Ｗから吸引温度Ｕを減算し、その値と回転速度Ｅから求める空気の通流量との積を求めことになる。
尚、この第５実施形態においては、湯水温度検出センサ３０を省略して、温水（熱媒）の供給管３７に接続された受入管１４ａに、熱媒温度ＴＦを検出する入水温度検出センサ３３が設けられている。
【０１０８】
図１５に示すフローチャートに基づいて説明を加えると、＃１〜＃６までの処理、及び、＃２１〜＃２７までの処理は、第１実施形態と同様であり、第１実施形態における＃１１〜＃１３の処理に代えて、次ぎの処理が行われることになる。
すなわち、＃４にて、入水温度検出センサ３３の検出温度ＴＦが変動する範囲が、設定範囲Ｔα（例えば２℃）内であり、かつ、その状態が設定時間（例えば３〜５秒）の間継続する状態、つまり、設定時間の熱媒温度ＴＦの変化が設定範囲Ｔαとなる状態であると判別すると、循環ファンＦを設定回転速度Ｓ１にて作動させる（＃３０１）。
【０１０９】
次に、浴室温度センサ３１にて検出される吸引温度Ｕを記憶し、回転速度検出センサ３５にて検出される回転速度Ｑを記憶する処理を実行する（＃３０２）。
尚、この検出が行われるときは、可動ルーバ９は、浴室リモコン５や脱衣室リモコン６にて設定された向きを向く状態、換言すれば、吸引口７に向かない状態である。
【０１１０】
引き続き、可動ルーバ９を吸引口７に向ける処理を行う（＃３０３）。
次に、現在の運転がミストサウナ運転であるか否かを判断し（＃３０４）、ミストサウナ運転である場合には、ミスト断続弁Ｎを閉じることになる（＃３０５）。
尚、このようにミストサウナ運転の場合においてミスト断続弁Ｎを閉じるのは、ミストノズルＮから噴出される湯水によって誤検出が発生するのを抑制するためであるが、湯水を噴出した状態のままにする形態で実施しても良い。
【０１１１】
その後、浴室温度センサ３１にて検出される吸引温度Ｕを、吹出温度Ｗとして記憶する処理を行う（＃３０６）。
次に、現在の運転がミストサウナ運転であるか否かを判断し（＃３０７）、ミストサウナ運転である場合には、ミスト断続弁Ｎを開き（＃３０５）、引き続き、可動ルーバ９を浴室リモコン５や脱衣室リモコン６にて設定された向きに向ける処理を行う（＃３０７）。
【０１１２】
また、＃２７の運転処理を実行したのち、設定時間（例えば５〜１０分）が経過したか否かが判断され、設定時間が経過していない場合には、＃２５の停止タイミングの判別処理を行うことになり、そして、設定時間が経過している場合には、＃３０２からの処理が行われることになる。
つまり、可動ルーバ９を吸引口７に向けると、浴室内の雰囲気が変化するため、可動ルーバ９を吸引口７に向けることが、設定時間（例えば５〜１０分）が経過するごとに行われるようになっている。
【０１１３】
〔別実施形態〕
次に別実施形態を説明する。
（イ）上記実施形態では、ミストサウナ機能付きの浴室暖房機を例示したが、本発明は、床において使用される可搬型の暖房機や、ふとん乾燥機等、種々の通風式の加熱端末装置に適用できるものである。
【０１１４】
（ロ）上記実施形態では、熱源機からの熱媒が、通風式の加熱端末装置における放熱部と、他の放熱用端末とに並列状態で循環流動される加熱設備に対して、本発明を適用する場合を例示したが、熱源機からの熱媒が通風式の加熱端末装置における放熱部のみに循環流動される加熱設備に対して、本発明を適用するようにしても良い。
【０１１５】
（ハ）上記実施形態では、通風式の加熱端末装置に対して、バーナにて加熱される熱交換器を備えた熱源機から熱媒が供給される場合を例示したが、燃料電池やエンジン駆動式発電機の排熱を回収して、その排熱にて加熱された熱媒が、通風式の加熱端末装置に供給される場合にも、本発明は適用できるものであり、要するに、熱媒が外部から供給される放熱部を備える通風式の加熱端末装置であれば、本発明は適用できるものである。
【０１１６】
（ニ）上記実施形態では、１台の通風式の加熱端末装置が装備される加熱設備を例示したが、熱源機の熱媒が並列状態で供給される複数台の通風式の加熱端末装置が装備される加熱設備に対して、本発明は適用できるものである。
【０１１７】
（ホ）上記実施形態では、表示手段として、浴室リモコン及び脱衣室リモコンを例示したが、専用の表示装置を表示手段として備えさせる形態で実施しても良く、表示手段の具体構成は種々変更できる。
【０１１８】
（へ）上記実施形態では、処理手段の作動として、表示手段を表示させる作動、及び、通風手段の通風量を増加させる作動を例示したが、例えば、通風手段にて通不される空気を加熱する補助ヒータを備えさせて、その補助ヒータの作動を制御するようにする等、使用者が満足する状態にするための処理手段の作動は種々のものが適用できる。
【符号の説明】
【０１１９】
４      熱源機
５、６  表示手段
７      吸引口
８      吹出口
９      吹出方向変更出
３０    温度検出部
３１    吸引温度検出手段
３４    供給温度検出手段
３５    通風量検出手段
３６    熱媒通流量検出手段
１００  供給熱量取得手段
２００  処理手段
Ａ      通風式の加熱端末装置
Ｂ      放熱用端末
Ｄ      記憶手段
Ｆ      通風手段
Ｊ      設定基準熱量
Ｋ      放熱部
Ｖ      熱媒温度検出手段
【図１】
2010223488.tif 000003
【図２】
2010223488.tif 000004
【図３】
2010223488.tif 000005
【図４】
2010223488.tif 000006
【図５】
2010223488.tif 000007
【図６】
2010223488.tif 000008
【図７】
2010223488.tif 000009
【図８】
2010223488.tif 000010
【図９】
2010223488.tif 000011
【図１０】
2010223488.tif 000012
【図１１】
2010223488.tif 000013
【図１２】
2010223488.tif 000014
【図１３】
2010223488.tif 000015
【図１４】
2010223488.tif 000016
【図１５】
2010223488.tif 000017